(57)【要約】【課題】 クジ棒などのクジ体を手に取ったとしても、その途端に結果が判明せず、しかも、自己の意のままに、面倒な作業を要することもなく、当たり外れ等を瞬時に確認できる、斬新なクジを提供する。【解決手段】  棒状をなすクジ体１であり、そのクジ体自身が両端部間の切断予定位置Ｓで切断された際に、その切断部をなす、端部にクジの結果が表示されるように、切断前のクジ体１の内部であって切断予定位置Ｓに対応する部位に凹部９からなる空間Ｋを設けておき、その凹部９の底９ｂにクジの結果表示手段である「当り」などが記されたシール１１を貼り付けておく。クジ体１を手に取っただけでは結果が判明しないが、切断予定位置Ｓで折る等して切断することで、瞬時に結果を確認できる。【選択図】        図１
2009298004.tif 000002
【特許請求の範囲】
【請求項１】
棒状又は板状をなすクジ体であって、
クジ体自身の両端部間の切断予定位置で切断された際に、その切断部をなす少なくとも一方の端部にクジの結果が表示されるように、切断前のクジ体の内部にクジの結果表示手段が設けられていることを特徴とするクジ体。
【請求項２】
棒状又は板状をなすクジ体であって、
クジ体自身の両端部間の切断予定位置で切断された際に、その切断部をなす少なくとも一方の端部にクジの結果が表示されるように、切断前のクジ体の内部であって前記切断予定位置に対応する部位に空間を備えており、その空間内にクジの結果表示手段が設けられていることを特徴とするクジ体。
【請求項３】
棒状又は板状をなすクジ体であって、
クジ体自身は、２つのクジ形成部材を端部同士で突き合わせて接合して構成されており、切断予定位置であるその突き合せ部で切断された際に、その切断部をなす少なくとも一方の端部にクジの結果が表示されるように、接合前のクジ形成部材の前記端部にクジの結果表示手段が設けられていることを特徴とするクジ体。
【請求項４】
接合前の１つのクジ形成部材の前記端部に凹部が設けられており、その凹部内にクジの結果表示手段が設けられていることを特徴とする請求項３に記載のクジ体。
【請求項５】
接合前の２つのクジ形成部材の前記端部に凹部が設けられており、その各凹部内にクジの結果表示手段が設けられていることを特徴とする請求項３に記載のクジ体。
【請求項６】
前記クジ体の切断予定位置における外周面に、視認可能の印が付されていることを特徴とする請求項１〜５のいずれか１項に記載のクジ体。
【請求項７】
前記印が色彩であることを特徴とする請求項６に記載のクジ体。
【請求項８】
前記クジ体の切断予定位置における外周面に、周方向に沿って溝が形成されていることを特徴とする請求項１〜７のいずれか１項に記載のクジ体。
【請求項９】
請求項１〜８のいずれか１項に記載のクジ体における一端部寄り部位が挿入可能であると共に、その挿入時において前記切断予定位置を含む他端部寄り部位を露出させ得るクジ体挿入部を備えると共に、このクジ体挿入部に、前記クジ体の一端部寄り部位を挿入して支持させた状態で、露出側の他端部寄り部位に、横方向から力を付与することで、そのクジ体を前記切断予定位置で切断できるように形成したことを特徴とするクジ体切断用の支持具。
【請求項１０】
前記クジ体挿入部を、平面視、多数備えてなることを特徴とする請求項９に記載のクジ体切断用の支持具。
【請求項１１】
前記クジ体挿入部を、平面視、縦横に多数、それぞれ平行に引いた仮想線の交差点上に配置したことを特徴とする請求項１０に記載のクジ体切断用の支持具。
【発明の詳細な説明】
【技術分野】
【０００１】
本発明は、当たり外れ（吉凶）を決めたり、或いは、順序等を抽選により決めたりするのに使用されるクジ（籤（くじ））に関する。
【背景技術】
【０００２】
当たり外れ（吉凶）を決めたり、順序等を抽選により決めたりする場合に使用されるクジには、従来、番号、記号、色、文字（文句）などを表示してなる紙切れや、これらが先端に表示されたクジ棒を引かせたりするものが従来より知られている。また、当り外れや順位等を表示してなる紙を２つ折にしてそれが見えないように周囲を糊付けしてなるものも知られている。さらに、近時は、カードやシートに当りはずれ等のクジの結果を表示し、その上にシートが被せられたり、削り取り可能の被覆層が形成されたりしてなるカード方式やシート方式のクジも知られている。これらは、そのシートをはがしたり、被覆層を削り取ったりして、当たり外れ等、クジの結果を確認するようにしたものである。
【０００３】
また、クジ棒を用いる方式のものの中には、小槌を振ると、その頭部の穴（通過孔）からクジ棒が飛び出るようにしたもの（以下、小槌方式ともいう）もある（特許文献１）。
【特許文献１】実用新案登録第３０２３６０８号公報
【発明の開示】
【発明が解決しようとする課題】
【０００４】
ところで、当り外れや順位等を表示してなる紙切れやクジ棒からなるクジでは、通常、それらを抜き取ったり、或いは手にとったりした途端に、その結果が判明してしまう。このようなものは、その結果が得られるまでの過程が単純であり、秘密性にも欠けるし、新味もなく、あくまで、クジの目的のみが達成されるだけである。また、周囲を糊付けしてなるものものにおいては、その周囲を破って開く必要があることから、秘密性に欠けることはないが、当落の確認が面倒であり、しかも数秒とはいえ時間もかかる。加えて、その破るという行為自体は格別のものではなく、したがって面白みも小さい。
【０００５】
また、カード方式やシート方式のものでは、それらを手にとった後で、シートを摘んではがしたり、被覆層を削り取るものであることから、秘密性に欠けるということもなく、自己の意のままに、そのクジの当たり外れ等を確認できる。しかし、その確認作業はシートを摘んではがす、或いは被覆層を削り取る等の行為を要することから、糊付けのものと同様に、当落の確認が面倒であり、しかも時間がかかるという問題がある。
【０００６】
さらに、小槌方式のものは、単なる箱（容器）内からクジ棒を取り出すものに比べると、小槌を振ることで、クジ棒が振り出される（排出される）という点での面白みが得られるし、糊付けのものや、カード方式等のものに比べると、面倒さはない。しかし、クジ棒自体は、色分け等されて等級付けされているにすぎないものであることから、クジ棒を手にした途端にその結果が判明する。この点で、結果が得られるまでの過程が単純である上に、秘密性にも欠けるという意味での問題がある。
【０００７】
本発明は、こうした従来のクジの問題点に鑑みて案出されたものであって、クジ棒などのクジ体を手に取ったとしても、その途端に結果が判明せず、しかも、自己の意のままに、面倒な作業を要することもなく、当たり外れ等を瞬時に確認できる、斬新なクジを提供することをその目的とする。
【課題を解決するための手段】
【０００８】
上記の目的を達成するため、請求項１に記載の本発明は、棒状又は板状をなすクジ体であって、
クジ体自身の両端部間の切断予定位置で切断された際に、その切断部をなす少なくとも一方の端部にクジの結果が表示されるように、切断前のクジ体の内部にクジの結果表示手段が設けられていることを特徴とする。
【０００９】
請求項２に記載の本発明は、棒状又は板状をなすクジ体であって、
クジ体自身の両端部間の切断予定位置で切断された際に、その切断部をなす少なくとも一方の端部にクジの結果が表示されるように、切断前のクジ体の内部であって前記切断予定位置に対応する部位に空間を備えており、その空間内にクジの結果表示手段が設けられ
ていることを特徴とする。
【００１０】
請求項３に記載の本発明は、棒状又は板状をなすクジ体であって、
クジ体自身は、２つのクジ形成部材を端部同士で突き合わせて接合して構成されており、切断予定位置であるその突き合せ部で切断された際に、その切断部をなす少なくとも一方の端部にクジの結果が表示されるように、接合前のクジ形成部材の前記端部にクジの結果表示手段が設けられていることを特徴とする。
【００１１】
請求項４に記載の本発明は、接合前の１つのクジ形成部材の前記端部に凹部が設けられており、その凹部内にクジの結果表示手段が設けられていることを特徴とする請求項３に記載のクジ体である。また、請求項５に記載の本発明は、接合前の２つのクジ形成部材の前記端部に凹部が設けられており、その各凹部内にクジの結果表示手段が設けられていることを特徴とする請求項３に記載のクジ体である。
【００１２】
請求項６に記載の本発明は、前記クジ体の切断予定位置における外周面に、視認可能の印が付されていることを特徴とする請求項１〜５のいずれか１項に記載のクジ体である。また、請求項７に記載の本発明は、前記印が色彩であることを特徴とする請求項６に記載のクジ体である。そして、請求項８に記載の本発明は、前記クジ体の切断予定位置における外周面に、周方向に沿って溝が形成されていることを特徴とする請求項１〜７のいずれか１項に記載のクジ体である。
【００１３】
請求項９に記載の本発明は、請求項１〜８のいずれか１項に記載のクジ体における一端部寄り部位が挿入可能であると共に、その挿入時において前記切断予定位置を含む他端部寄り部位を露出させ得るクジ体挿入部を備えると共に、このクジ体挿入部に、前記クジ体の一端部寄り部位を挿入して支持させた状態で、露出側の他端部寄り部位に、横方向から力を付与することで、そのクジ体を前記切断予定位置で切断できるように形成したことを特徴とするクジ体切断用の支持具である。また、請求項１０に記載の本発明は、前記クジ体挿入部を、平面視、多数備えてなることを特徴とする請求項９に記載のクジ体切断用の支持具である。そして、請求項１１に記載の本発明は、前記クジ体挿入部を、平面視、縦横に多数、それぞれ平行に引いた仮想線の交差点上に配置したことを特徴とする請求項１０に記載のクジ体切断用の支持具である。
【発明の効果】
【００１４】
本発明のクジ体は、上記の構成をしているため、引いただけ、すなわち、手にしただけでは、クジの結果は不明であり、他人に知られることはない。一方、それを知りたいときは、クジ体を切断予定位置で切断し、その切断面を見るだけで瞬時に知ることができる。すなわち、自己の意のまま、瞬時にクジの結果を知ることができる。しかも、クジ体を切断予定位置で、例えば折って切断するという、非日常的な破壊行為を行い、その結果を知ることができるため、遊戯者には従来のクジでは得られなかった満足を感じさせることができるため、その分、クジの面白みを高められる。
【００１５】
なお、本発明の請求項９に記載のクジ体切断用の支持具を用いれば、いわばテコの作用により、クジ体を切断予定位置で容易に切断できる。また、請求項１０及び１１に記載のクジ体切断用の支持具を用いれば、切断後、クジ体における一端部寄り部位をクジ体挿入部から除去することなく残存させることとすることで、クジの結果の判明者数（クジ引き遊戯者数）を容易に確認できる。したがって、クジ引き者数を確認したい場合に効果的である。
【発明を実施するための最良の形態】
【００１６】
図１は、本発明のクジ体の第１実施形態例の正面図、及びその要部の一部破断拡大図であり、図２はその拡大図におけるＡ−Ａ線断面図である。本形態でのクジ体１は、棒状をなすクジ棒として具体化したもので、例えば全長にわたり一定太さの丸棒状を呈している。そして、本例では、丸棒状の２つのクジ形成部材３を、その端部５同士で突き合わせて接合（接着）することによって、１本の棒状をなすクジ体（以下、クジ棒ともいう）１を形成している。（図２は、クジ形成部材３を突合せ接合側の端部５から見た図でもある。）ただし、各クジ形成部材３における突合せ側の端部５は、外周面寄り部位７の環状部を除き、その軸線Ｇ寄り部位（図２における中心寄り部位）が同心状に凹設されて凹部９をなしており、その凹部９の底９ｂに、クジの結果を表示するその結果表示手段として、例えば、「当り」といった文字が付された円形のシール１１が貼り付けられている（図２参照）。この各クジ形成部材３は、突合せ側の端部５において各外周面寄り部位７を同心状にして突き合わせ、接着剤１３で接合（接着）されている。これにより、本形態のクジ棒１を外周面から見ると、この突合せ部、すなわち、突き合わされた端部５同士の外周縁が周方向に沿う形態を成すことから、その境界線が外周面に円環状の線Ｓ１となって表れている。
【００１７】
しかして、本形態のクジ棒１は、それ自身の両端部６間のうち、突合せ接合側の端部５の外周縁が示す環状の線Ｓ１をなす位置が切断予定位置Ｓとされ、この環状の線Ｓ１よりクジ棒１として、内側に位置する内部には、円筒状の空間Ｋが形成されている。したがって、この切断予定位置Ｓが存在する空間Ｋに対応する部位が、クジ棒１の長手方向において、他の部位より低強度となっている。すなわち、本形態のクジ棒１は、この切断予定位置Ｓ又はその近傍で切断されるように予定（設定）されており、その位置で切断された際に、その切断部をなす両方の端部５に現れる凹部９の底９ｂに「当り」が表示されるように形成されている。なお、この「当り」表示は、一方のクジ形成部材３における突合せ側の端部５の凹部９にのみ設けておいてもよい。また、クジ棒１を形成する各クジ形成部材３は、例えば、不透明のプラスチック製（樹脂製）とされている。なお、クジ棒１は、切断してクジの結果を知るものであるため、切断予定位置Ｓを介し、両手でその両側部位（クジ形成部材３に対応する各部位）を把持し、それを折るように力を加えることで容易に切断できるように、その長さ及び強度が設定されている。
【００１８】
このようなクジ棒１は、その切断前の状態（図１の状態）においては、すなわち、クジ棒１として引いただけでは、そのクジの結果は外部からは見えず、したがって、誰にも知られることはない。一方、遊戯者においてそれを知りたいときは、クジ棒１を、突合せ部を示す環状の線Ｓ１のある切断予定位置Ｓで切断し、その切断部における凹部９の底９ｂを見るだけで、瞬時にクジの結果、本例では「当り」を知ることができる。しかも、その際には、クジ棒１を切断予定位置Ｓで切断するという格別の破壊行為を体験できる。このため、遊戯者には、その行為と同時に発生する、例えば「ボキッ‥」というような切断音を聞かせることができるため、これまでにない一種特有の満足感を与えることができるため、遊戯者においては、その分、面白みが高められる。
【００１９】
なお、図３に示したように、例えば、前記したクジ棒１における一端部寄り部位（図示下端寄り部位）３ａが挿入可能であり、しかも、その挿入時において、切断予定位置Ｓを含む他端部寄り部位（図示上端寄り部位）３ｂを露出させ得るクジ体挿入部（クジ棒挿入用の穴）２３を備えると共に、このクジ体挿入部２３に、クジ棒１の一端部寄り部位３ａを挿入して支持させた状態で、露出側の他端部寄り部位３ｂに、横方向から力Ｆを付与することで、そのクジ棒１を切断予定位置Ｓで切断できるように形成してなるクジ体切断用の支持具（保持具）２０を用いると、その切断の容易化が図られる。
【００２０】
すなわち、このようなクジ体切断用の支持具２０を用いる場合においては、そのクジ体挿入部２３に、クジ棒１の一端部寄り部位３ａを挿入して支持させ、その状態で、露出側の他端部寄り部位３ｂに、横方向から力Ｆを付与すると、テコの原理により、そのクジ棒１を切断予定位置Ｓで容易に切断できる。このため、力の弱い子供や老人などにおいても、その切断を容易にできるため、クジ引きの円滑な運営が期待される。なお、本形態のクジ棒１は、端部５に凹部９が設けられており、その凹部９内にクジの結果表示手段（シール１１）が貼り付けられているクジ形成部材３を２つ用意し、これらをその端部５同士で、接着剤で接合することで形成できる。
【００２１】
なお、このようなクジ体切断用の支持具２０において、前記例ではクジ体が丸棒をなすクジ棒１であるから、クジ体挿入部２３は、そのクジ棒１を若干の隙間嵌め状態で挿入可能の例えば横断面が円形の穴とすればよい。すなわち、クジ体挿入部２３は、クジ体の形状、大きさに応じて、例えば、それが横断面が四角の細長い板（矩形板）や、角棒であれば、そのようなクジ体が挿入できるように、その横断面の形状、大きさを設定しておけばよい。なお、クジ体挿入部２３は、クジ棒１における一端部寄り部位（図３の下端寄り部位）３ａを挿入した時において、切断予定位置Ｓがそのクジ体挿入部２３の上端２２より僅かに上に位置するように設定するのが、切断時のテコ作用の点から好ましい。
【００２２】
また、このようなクジ体切断用の支持具２０は、クジをイベント会場などでの抽選に用いるような場合には、図４に示したように、これを例えば、平板状の基板２１などで形成し、クジ体挿入部２３をその上面２２ｂの平面に多数設けられているものとすると、同時に複数の遊戯者において、その切断が行えるので便利である。さらに、切断後、クジ棒１における一端部寄り部位（片割れ）３ａをクジ体挿入部２３から除去することなく残存させることとすることで、その数を算定することで、クジの結果の判明者数（クジ引き遊戯者数）を容易に確認できる。すなわち、クジ体挿入部２３を発行クジ数に対応した数にしておくことで、発行クジの総数に対するクジ引き者（遊戯者）の実数ないし割合が容易に把握できるので、イベント主催者においてはイベントの効果を知る上で極めて便利となるといった、特有の効果が得られる。
【００２３】
この場合、図５に示したように、クジ体切断用の支持具２０は、クジ体挿入部２３を、基板２１に対し、平面視、縦横に多数平行に引いた仮想線（実際には線はない。ただし、実際に線が引かれていてもよい）の交差点に配置されているものとすると、クジ体挿入部２３、及びクジ引き者（遊戯者）の総数の計算が容易となるため、使い勝手が極めて向上する。なお、クジ体挿入部２３はランダム配置として、多数、平面上に設けても良い。このように、多数のクジ体挿入部２３を設けてなるクジ体切断用の支持具２０を用いる場合には、クジ棒１を挿入、切断した後、クジ棒１における一端部寄り部位（片割れ、図１の下半分）をクジ体挿入部２３から除去することなく残存させることができるし、そのようにすることで、自動的にその片割れの回収も行えるので、結果としてゴミの回収効率の向上も図られる。
【００２４】
前記第１実施形態では、接着されているクジ棒形成用の２つのクジ形成部材３の端部５とも、軸線Ｇ寄り部位が凹設されてなる凹部９を有するものとし、その外周面寄り部位７で突き合わせて接着したものとして具体化したが、このようなクジ体１は、図６に示した第２実施形態のように、凹部９を、一方（１つ）のクジ形成部材３の端部５にのみ設けることとしても良い。そして、この場合において、クジの結果表示手段をなす、例えば、「当り」といった文字が付されたシール１１は、第１実施形態におけるように、凹部９の底９ｂに貼り付けておいてもよいが、対向する（図６上の）クジ形成部材３の端部５の面５ｂに貼り付けておいてもよいし、その両者に貼り付けておいてもよい。また、凹部９内に単にそのようなシールを配置しておくだけでもよい。なお、図６は、本発明のクジ体の第２実施形態例、及びその要部の一部破断拡大図であるが、前記した相違点を除けば、上記した第１実施形態と異なる点はないので、同一部位には同一の符号を付すに止める。以下の各形態例等の説明においても同様とする。
【００２５】
図７は、第３実施形態の要部の一部破断拡大図である。このものでは、上記形態で示したような凹部は、いずれのクジ形成部材３における突合せ側の端部５にも設けていない。このものでは、突合せ側の各端部５における外周寄り部位で、接着剤１３によりその接合をした例である。ただし、このような場合には、上記例のような「当り」文字が付されたシール１１を、その例えば一方の端部５に貼り付けるとしても、そのシール１１の厚み分以上の接着剤１３の層が必要となる。したがって、クジの結果表示手段、例えば「当り」文字は、印刷などにより、端部５において、なるべく隆起しないように設けるか、刻印状に、その文字を凹設して設けるとよい。もっとも、クジの結果表示手段は色彩（例えば、金色、銀色、白、赤等）でも良いことから、上記いずれの形態においても、突合せ側の端部５に、特定の色彩を塗布等により付与しておいてもよい。
【００２６】
なお、上記した各例では、２つのクジ形成部材３の端部５相互を突き合せて接合してクジ棒１としたものを例示したが、このようなものも含め、切断される切断予定位置Ｓには、その外周面に、切断予定位置Ｓを視認により識別ができるようにしておくのが好ましい。図８のクジ棒は、その一例を示したものであり、このものでは環状の線Ｓ１以外に、例えば、その線Ｓ１を挟む形で、外周面に印（例えば三角の印）３１を付与したものである。また、同図の拡大図中に示したように、切断予定位置Ｓであることを示す文字（「この線で折る」など）を視認可能に設けておいてもよい。さらには、図示はしないが、他の部位と識別（区別）できる色彩を、切断予定位置Ｓに一定幅で、例えば鉢巻状（環状）にクジ棒１の外周面に付与しておいてもよい。
【００２７】
さらに、図９に示した形態例のように、クジ棒１における切断される切断予定位置Ｓに、その外周面において周方向に沿って溝３５を形成しておいてもよい。このように溝３５を形成しておけば、切断箇所であることが容易に理解されるし、この溝３５をはさんで、その両側の部位（各クジ形成部材３に対応する部位）を把持して折るようにすれば、切欠き効果ないし応力集中により切断を一層容易にすることができる。
【００２８】
本発明のクジ体１は、上記したような丸棒状の各種のクジ棒に限定されるものではなく、種々変更して具体化できる。すなわち、横断面が四角（その他の多角形）の板や棒を呈するクジ体としても具体化できる。また、材質としては、プラスチックに限定されるものではなく、木製、或いは紙製とすることもできる。さらに、上記例では、クジの結果表示手段である文字について、「当り」を例示して示したが、当然のことながら、クジの種類、目的に応じて、その他の文字、記号を表示すればよい。また、この表示をするのは、シールを貼ることや直接印刷することに限られない。上記もしたが、刻印することにより、相対的に凹設（沈降）して表示してもよいし、隆起させて表示してもよい。
【００２９】
さらに、上記各例では、クジ体自身が、２つのクジ形成部材を端部同士で突き合わせて接合して構成されており、切断予定位置であるその突き合せ部で切断された際に、その切断部をなす少なくとも一方の端部にクジの結果が表示されるように、接合前のクジ形成部材の前記端部にクジの結果表示手段が設けられているものとして説明したが、本発明のクジ体は、このような構成のものに限定されるものではない。すなわち、クジ体は、自身の両端部間の切断予定位置で切断された際に、その切断部をなす少なくとも一方の端部にクジの結果が表示されるように、切断前のクジ体の内部にクジの結果表示手段が設けられているものであれば、いずれの構成、又は組み立て、ないし製法で製造したものであっても良い。
【００３０】
また、上記においては、２つのクジ形成部材を端部同士で突き合わせて接合してクジ体を構成した場合を例示したが、クジ体の構成はこのようなものに限定されるものではない。例えば、クジ体をプラスチック製として具体化する場合においては、変形例として図１０に示したクジ棒１のように、クジの結果表示手段を有するクジ結果表示体４１を、クジ棒１内の切断予定位置Ｓにおいてインサートする形としておき、クジ棒１を射出成形により一体的に成形（インサート成形）しておいてもよい。なお、図１０のものでは、クジ棒１の外周面のうち、切断予定位置Ｓに溝３５が入れられている。しかして、このものでは、切断予定位置Ｓでクジ棒１を切断すると、内部のクジ結果表示体４１も同位置で切断され、同クジ結果表示体４１の切り口断面がクジの結果を表示するものである。例えば、クジ結果表示体４１を特定の色（色彩）からなる別部品として別途製造しておき、これを、クジ棒１を射出成形する際のインサート品としておけばよい。なお、このものでは、内部のクジ結果表示体４１についてもそれ自体の外周面のうち、クジ棒１の外周面に形成された溝３５に対応する位置（クジ棒の先後位置）に、同様に溝を入れておくとよい。すなわち、本発明のクジ体は、適宜の構成、製法で具体化できる。
【００３１】
さらに別の変形例としては、図１１に示したものも例示できる。すなわち、クジ体が、その外観において図１に示したものと同じであるとしても、図１２の左図に示したように、図１における軸線を通る平面５４で２分割した２つの半円柱状部材としてなる、２つのクジ形成部材５３を、その平面５４同士で接合（接着）することで、図１１に示した１つのクジ棒１を形成できる。なお、このものでは、図１に示したクジ棒１の切断予定位置Ｓおける内部の空間Ｋを形成するため、半円柱状部材の各クジ形成部材５３における平面５４の対応位置に、それぞれ凹部５９を形成しておけばよい（図１２参照）。また、クジの結果表示手段は、平面５４同士で接合（接着）する前に、その凹部５９内にシール等により設けておけばよい。また、このような場合にも、クジ棒１をなしたときの外周面の切断予定位置Ｓに、周方向に沿って溝３５が形成されるように、各クジ形成部材５３における外周面の対応位置にそれ用の溝３５を形成しておけばよい。
【図面の簡単な説明】
【００３２】
【図１】本発明のクジ体の第１実施形態例の正面図、及びその要部の一部破断拡大図。
【図２】図１の拡大図におけるＡ−Ａ線断面図。
【図３】クジ体切断用の支持具の説明用断面図。
【図４】クジ体切断用の支持具の別例の説明用破断面図。
【図５】クジ体切断用の支持具の別例の説明用平面図。
【図６】本発明のクジ体の第２実施形態例の正面図、及びその要部の一部破断拡大図。
【図７】本発明のクジ体の第３実施形態例の要部の一部破断拡大図。
【図８】本発明のクジ体の切断予定位置に印を付した形態例の正面図、及びその要部の拡大図。
【図９】本発明のクジ体の切断予定位置の外周面に、周方向に沿って溝を形成した形態例の正面図、及びその要部の拡大図。
【図１０】本発明のクジ体の変形例の正面図、及びその要部の一部破断拡大図。
【図１１】本発明のクジ体の別の変形例の正面図、及びその要部の一部破断拡大図。
【図１２】図１１のクジ体の製造工程の説明図。
【符号の説明】
【００３３】
１  クジ棒（クジ体）
３  クジ形成部材
３ａ  クジ体における一端部寄り部位
３ｂ  クジ体における他端部寄り部位
５  クジ形成部材の端部
９  クジ形成部材の端部の凹部
１１  シール（クジの結果表示手段）
２０  クジ体切断用の支持具
２３  クジ体挿入部
３１  視認可能の印
３５  切断予定位置における外周面の溝
Ｓ  クジ体自身の両端部間の切断予定位置
Ｋ  空間
【図１】
2009298004.tif 000003
【図２】
2009298004.tif 000004
【図３】
2009298004.tif 000005
【図４】
2009298004.tif 000006
【図５】
2009298004.tif 000007
【図６】
2009298004.tif 000008
【図７】
2009298004.tif 000009
【図８】
2009298004.tif 000010
【図９】
2009298004.tif 000011
【図１０】
2009298004.tif 000012
【図１１】
2009298004.tif 000013
【図１２】
2009298004.tif 000014